【手続補正書】
【提出日】平成16年4月7日(2004.4.7)
【手続補正１】
【補正対象書類名】明細書
【補正対象項目名】００３２
【補正方法】変更
【補正の内容】
【００３２】
ホールコンピュータ１１３は遊技店１００全体の管理を行う管理装置であり、情報収集装置１１２を介して必要な情報を取得し、遊技店自体で各種の遊技情報等の収集管理を行って営業上に活用するために用いられる。また、管理装置としてのホールコンピュータ１１３は、例えば遊技店１００における営業上の遊技情報等を収集管理するとともに、さらに遊技店１００が遊技機性能を監視するための基準値の設定を行う。この場合、ホールコンピュータ１１３としては安価で、普及しているパーソナルコンピュータレベルのコンピュータが使用される。
計数機監視装置１１４は遊技者が獲得し景品交換のための球の計数を行ったりする玉計数機１１５（例えば、ジェットカウンタ）の動作の監視および稼働情報を監視装置２、監視装置５および外部通信装置１２３に出力する。動作の監視および稼働情報の収集としては、例えば計数された景品球数情報、計数景品玉セキュリティイベント（例えば、玉計数機の安全性が脅かされるような状況）の状態が変化する毎に出力する情報がある。


【手続補正２】
【補正対象書類名】明細書
【補正対象項目名】００７４
【補正方法】変更
【補正の内容】
【００７４】
ここで、先に出てきた割数について説明する。
割数とは、貸球数に対する精算球数の比であり、割数の算出は次のようにして行う。すなわち、アウト玉信号ＳＧ６（アウト数に対応）、セーフ玉信号ＳＧ５（補給数に対応）、売上げ信号ＳＧ４（貸し球数に対応：１００円で２５個換算）を利用して、
「現金サンドの場合」（現金の投入によって球の貸し出しを行う現金式球貸装置の場合）
割数＝｛（補給数）−（アウト数）｝／貸し球数…………（４）
として算出する。
「ＣＲサンドの場合」（プリペイドカードによって球の貸し出しを行うカード式球貸装置１３２の場合：遊技機１０の球排出装置を利用して球貸しを行う）
1998309364.tif 000001
として算出する。


【手続補正３】
【補正対象書類名】明細書
【補正対象項目名】０１１１
【補正方法】変更
【補正の内容】
【０１１１】
図１６（ａ）における現在値の各内容は、以下のようなものである。
・論理ＩＤ
監視装置番号で、ここでは監視装置１を論理的に識別する番号である。
・ノード番号
通信ネットワーク上での端末（監視装置１）のノード番号（端末番号）である。
・時刻（時分）
遊技情報を収集したときの発生時刻である。
・累計セーフ
Ｐ機への補給玉（賞球玉）の累計値である。
・累計アウト
Ｐ機のアウト玉の累計値である。
・累計大当り１
特賞回数の累計値である。


【手続補正４】
【補正対象書類名】明細書
【補正対象項目名】０１１７
【補正方法】変更
【補正の内容】
【０１１７】
・売上１断線
売上１信号線の断線中にオン状態となるビットである。現金式球貸し装置の売上信号線の断線を検出するものである。
・売上２断線
売上２信号線の断線中にオン状態となるビットである。プリペイドカードによる球貸し装置の売上信号線の断線を検出するものである。
・アウト（回収）異常
設定セーフ玉中にアウト玉が無ければ、オン状態となるビットである。
・セーフ（補給）異常
設定アウト玉中にセーフ玉が無ければ、オン状態となるビットである。
・ベース異常（店用）
設定アウト球中にベースが設定値以上ならば、オン状態となるビットである。
・出過ぎ異常（店用）
設定期間中に差玉が設定値以上ならば、オン状態となるビットである。
・回転異常（店用）
設定アウト球中に特図の回転数が設定値以上ならば、オン状態となるビットである。
・特賞異常（店用）
特賞中の出玉が設定値以外ならば、オン状態となるビットである。
なお、上記に示すステータス情報のうち、ビット３、ビット４およびビット９〜ビット１４の情報は、ホールコンピュータ１１３によって設定されて店用に利用されるものである。


【手続補正５】
【補正対象書類名】明細書
【補正対象項目名】０１３１
【補正方法】変更
【補正の内容】
【０１３１】
次いで、ステップＳ９５で上位認証処理を行う。これは、監視装置３が上位遊技機性能監視装置の１つとして配置されており、監視装置３に対してネットワーク上で上位に位置する監視装置４（上位遊技機性能監視装置）との間で相互認証を行うもので、相互認証を行うことにより、監視装置３の不正を防止し、遊技機性能の監視精度を高めるためである。
次いで、ステップＳ９６でポーリング要求処理３を行う。これにより、監視装置３から監視装置２に対してポーリング要求が出力され、監視装置２が担当するパチンコ島１１１に配置されている複数の監視装置１の収集した遊技情報を監視装置２から受信することになる。


【手続補正６】
【補正対象書類名】明細書
【補正対象項目名】０１６４
【補正方法】変更
【補正の内容】
【０１６４】
監視装置１では、メインルーチンのポーリング応答処理２において、ステップＳ２１６で情報収集装置１１２から送信されてきたポーリング要求を受信し、ステップＳ２１７でポーリング要求があるか否かを判別する。ポーリング要求がなければ、メインルーチンにリターンする。ポーリング要求があれば、ステップＳ２１８に進んでＰ機加工遊技履歴情報を情報収集装置１１２に送信しリターンする。これにより、監視装置１が該当するＰ機から収集して演算した図１６（ｂ）に示すような遊技履歴情報が情報収集装置１１２に渡される。このとき、遊技履歴情報は差分が渡される。
情報収集装置１１２ではステップＳ２１３で監視装置１から送信されてきたＰ機加工遊技履歴情報（差分）を受信し、差分を結合してＰ機加工遊技履歴情報として管理し、ステップＳ２１４に進む。


【手続補正７】
【補正対象書類名】明細書
【補正対象項目名】０１７２
【補正方法】変更
【補正の内容】
【０１７２】
監視装置０（あるいは監視装置１）では、ステップＳ２５５で各端末からＩＤを受信（ここでは、監視装置２から送信されてきたＩＤを受信）する処理を行う。なお、監視装置２からＩＤが送信されてこない場合も有り得るので、以下のステップＳ２５６でＩＤ要求に対する応答が無しかも判断する。
ステップＳ２５６では受信したＩＤに異常があるか、あるいはＩＤ要求に対する応答が無しか否かを判別する。ＩＤ要求に対する応答があり、かつ受信したＩＤに異常がなければ（正規のＩＤであれば）、監視装置０（あるいは監視装置１）は監視装置２を認証しリターンする。これにより、監視装置０（あるいは監視装置１）から監視装置２が認証されたことになる。


【手続補正８】
【補正対象書類名】明細書
【補正対象項目名】０１７６
【補正方法】変更
【補正の内容】
【０１７６】
監視装置２では、ステップＳ２６５で各端末からＩＤを受信（ここでは、監視装置０あるいは監視装置１から送信されてきたＩＤを受信）する処理を行う。なお、監視装置０（あるいは監視装置１）からＩＤが送信されてこない場合も有り得るので、以下のステップＳ２６６でＩＤ要求に対する応答が無しかも判断する。
ステップＳ２６６では受信したＩＤに異常があるか、あるいはＩＤ要求に対する応答が無しか否かを判別する。ＩＤ要求に対する応答があり、かつ受信したＩＤに異常がなければ（正規のＩＤであれば）、監視装置２は監視装置０（あるいは監視装置１）を認証しリターンする。これにより、監視装置２から監視装置０（あるいは監視装置１）が認証されたことになる。


【手続補正９】
【補正対象書類名】図面
【補正対象項目名】図１７
【補正方法】変更
【補正の内容】
【図１７】
1998309364.tif 000002